(57)【特許請求の範囲】
【請求項１】
施設において使用される適用情報を配信する情報配信装置と、前記施設で前記適用情報の処理をする施設側端末と、前記施設側端末と無線通信が可能な携帯端末と、を備え、
前記携帯端末は、識別情報を前記施設側端末に送信する携帯端末通信部を有し、
前記情報配信装置は、
複数の適用情報を記憶する記憶部と、
前記携帯端末の前記識別情報を受信すると、前記複数の適用情報から、前記識別情報に対応する適用情報を抽出する抽出部と、
前記抽出部が抽出した前記適用情報を前記施設側端末に送信する装置通信部とを有し、
前記施設側端末は、
前記携帯端末から受信した前記識別情報を前記情報配信装置に送信し、前記情報配信装置から前記適用情報を受信する施設側端末通信部と、
前記情報配信装置から受信した前記適用情報が所定の条件を満たしていると判定した場合に前記適用情報の少なくともいずれかを処理する適用情報処理部とを有する、
情報配信システム。
【請求項２】
前記携帯端末通信部は、前記携帯端末の属性を示す属性情報を前記施設側端末にさらに送信し、
前記施設側端末通信部は、前記携帯端末から受信した前記属性情報を前記情報配信装置にさらに送信し、
前記抽出部は、前記識別情報及び前記属性情報に対応する適用情報を抽出する、
請求項１に記載の情報配信システム。
【請求項３】
前記携帯端末通信部は、前記携帯端末が前記施設側端末と所定距離以内に近づいたことに応じて前記識別情報を前記施設側端末に送信する、
請求項１又は２に記載の情報配信システム。
【請求項４】
前記適用情報処理部は、前記適用情報の処理結果を前記情報配信装置及び前記携帯端末の少なくとも一方に送信する、
請求項１から３のいずれか１項に記載の情報配信システム。
【請求項５】
前記識別情報は、前記施設ごとに前記携帯端末又は前記携帯端末のユーザに対して割り当てられた施設特化識別情報である、
請求項１から４のいずれか１項に記載の情報配信システム。
【請求項６】
施設において使用される複数の適用情報を配信する情報配信装置と、前記施設で前記適用情報の処理をする施設側端末と、前記施設側端末と無線通信が可能な携帯端末と、を備え、
前記情報配信装置は、
複数の前記適用情報を記憶する記憶部と、
前記複数の適用情報から、前記携帯端末に送信する適用情報を抽出する抽出部と、
前記抽出部が抽出した適用情報を前記携帯端末に送信する装置通信部を有し、
前記携帯端末は、
前記情報配信装置から受信した前記適用情報を記憶する携帯端末記憶部と、
前記施設側端末に、前記適用情報を送信する携帯端末通信部と、
を有し、
前記施設側端末は、
前記携帯端末から受信した前記適用情報が所定の条件を満たしていると判定した場合に前記適用情報の少なくともいずれかを処理する適用情報処理部を有し、
前記携帯端末通信部は、前記携帯端末記憶部に記憶されている前記適用情報を、前記携帯端末と異なる他の携帯端末にコピーして送信するとともに、前記携帯端末の識別情報、及び前記コピーした前記適用情報を特定する情報を含む履歴情報を前記情報配信装置に送信する、
情報配信システム。
【請求項７】
施設において使用される複数の適用情報を配信する情報配信装置と、前記施設で前記適用情報の処理をする施設側端末と、前記施設側端末と無線通信が可能な携帯端末と、を備え、
前記情報配信装置は、
複数の前記適用情報を記憶する記憶部と、
前記複数の適用情報から、前記携帯端末に送信する適用情報を抽出する抽出部と、
前記抽出部が抽出した適用情報を前記携帯端末に送信する装置通信部を有し、
前記携帯端末は、
前記情報配信装置から受信した前記適用情報、及び前記施設側端末へ送信する前記適用情報を制御するアプリケーションプログラムを記憶する携帯端末記憶部と、
前記施設側端末に、前記適用情報を送信する携帯端末通信部と、
前記アプリケーションプログラムが起動されると、前記情報配信装置に前記適用情報の取得を要求し、当該情報配信装置から受信した前記適用情報を前記携帯端末記憶部に記憶させる無線部と、
を有し、
前記施設側端末は、
前記携帯端末から受信した前記適用情報が所定の条件を満たしていると判定した場合に前記適用情報の少なくともいずれかを処理する適用情報処理部を有する、
情報配信システム。
【請求項８】
施設において使用される適用情報を配信する情報配信装置であって、
複数の適用情報を記憶する記憶部と、
施設側端末と無線通信が可能な携帯端末を識別する識別情報を受信すると、前記複数の適用情報から、前記識別情報に対応する適用情報を抽出する抽出部と、
前記抽出部が抽出した前記適用情報を前記施設側端末に送信する装置通信部とを備える、
情報配信装置。
【請求項９】
携帯端末と無線通信が可能であり、かつ、情報配信装置と通信が可能な施設側端末であって、
前記携帯端末から受信した前記携帯端末を識別する識別情報を前記情報配信装置に送信し、前記情報配信装置から適用情報を受信する施設側端末通信部と、
前記情報配信装置から受信した前記適用情報が所定の条件を満たしていると判定した場合に前記適用情報の少なくともいずれかを処理する適用情報処理部とを備える、
施設側端末。
【請求項１０】
携帯端末が、当該携帯端末を識別する識別情報を施設側端末に送信する手順と、
前記施設側端末が、前記携帯端末から受信した前記識別情報を情報配信装置に送信する手順と、
前記情報配信装置が、前記携帯端末の前記識別情報を受信すると、複数の適用情報を記憶する記憶部から、前記識別情報に対応する適用情報を抽出する手順と、
情報配信装置が、抽出された前記適用情報を前記施設側端末に送信する手順と、
前記施設側端末が、前記情報配信装置から前記適用情報を受信する手順と、
前記施設側端末が、前記情報配信装置から受信した前記適用情報が所定の条件を満たしていると判定した場合に前記適用情報の少なくともいずれかを処理する手順と、
を有する情報配信方法。
【発明の詳細な説明】
【技術分野】
【０００１】
本発明は、情報配信システム、情報配信装置、施設側端末及び情報配信方法に関する。
【背景技術】
【０００２】
従来、クーポンを発行するウェブサイトからダウンロードしたクーポン情報を携帯端末の画面に表示し、当該クーポン情報を施設側に提示することにより、クーポンを使用することができるシステムが知られている（例えば、特許文献１参照）。
【先行技術文献】
【特許文献】
【０００３】
【特許文献１】特開２００６−３３８６３８号公報
【発明の概要】
【発明が解決しようとする課題】
【０００４】
ところで、携帯端末のユーザは、施設において使用可能なクーポン情報等の適用情報をウェブサイトから取得する場合、訪問予定の施設で使用可能な適用情報を予め検索して取得する必要があった。例えば、訪問予定の施設が多い場合や、訪問予定の施設が未定の場合には、適用情報を検索して取得する作業は、携帯端末のユーザにとって煩雑であった。
【０００５】
また、携帯端末のユーザは、施設において適用情報を使用する場合、携帯端末に記憶されている適用情報を携帯端末の画面に表示する必要がある。例えば、多数の適用情報が携帯端末に記憶されている場合、携帯端末のユーザは、これら多数の適用情報から、携帯端末の画面に表示するための適用情報を選択する作業を行う必要があった。このような作業も、携帯端末のユーザにとって煩雑であった。
【０００６】
そこで、本発明はこれらの課題を解決するためになされたものであり、携帯端末のユーザが容易に適用情報を使用することができる情報配信システム、情報配信装置、施設側端末及び情報配信方法を提供することを目的とする。
【課題を解決するための手段】
【０００７】
本発明の第１の態様に係る情報配信システムは、施設において使用される適用情報を配信する情報配信装置と、前記施設で前記適用情報の処理をする施設側端末と、前記施設側端末と無線通信が可能な携帯端末と、を備え、前記携帯端末は、識別情報を前記施設側端末に送信する携帯端末通信部を有し、前記情報配信装置は、複数の適用情報を記憶する記憶部と、前記携帯端末から前記識別情報を受信すると、前記複数の適用情報から、前記識別情報に対応する適用情報を抽出する抽出部と、前記抽出部が抽出した前記適用情報を前記施設側端末に送信する装置通信部とを有し、前記施設側端末は、前記携帯端末から受信した前記識別情報を前記情報配信装置に送信し、前記情報配信装置から前記適用情報を受信する施設側端末通信部と、前記情報配信装置から受信した前記適用情報が所定の条件を満たしていると判定した場合に前記適用情報の少なくともいずれかを処理する適用情報処理部とを有することを特徴とする。
【０００８】
この発明によれば、携帯端末から送信された当該携帯端末の識別情報に基づいて、情報配信装置が適用情報を抽出し、施設側端末が、当該適用情報が所定の条件を満たしている場合に当該適用情報を処理する。これにより、携帯端末では、適用情報を予め記憶する必要がない。また、携帯端末のユーザは、施設において適用情報を使用する際に、当該施設に対応する適用情報を検索する必要がない。よって、携帯端末のユーザは、容易に適用情報を使用することができる。
【０００９】
また、前記携帯端末通信部は、前記携帯端末の属性を示す属性情報を前記施設側端末にさらに送信し、前記施設側端末通信部は、前記携帯端末から受信した前記属性情報を前記情報配信装置にさらに送信し、前記抽出部は、前記識別情報及び前記属性情報に対応する適用情報を抽出することを特徴とする。
この発明によれば、抽出部は、識別情報と、携帯端末の属性を示す属性情報とに基づいて適用情報を抽出するので、識別情報によって適用情報を抽出する場合に比べて抽出される適用情報を絞り込むことができる。これにより、情報配信装置が施設側端末に送信する適用情報の数を減らし、施設側端末における適用情報の処理速度を向上させることができる。
【００１０】
また、前記携帯端末通信部は、前記携帯端末が前記施設側端末と所定距離以内に近づいたことに応じて前記識別情報を前記施設側端末に送信することを特徴とする。
この発明によれば、例えば、所定距離を数十センチ未満とすることにより、携帯端末が施設側端末に接触したことに応じて、携帯端末から施設側端末に識別情報が送信されるようにすることができる。これにより、施設側端末は、施設を訪問し当該施設側端末に携帯端末を接触させたユーザに限定して、適用情報を処理することができる。
【００１１】
また、前記適用情報処理部は、前記適用情報の処理結果を前記情報配信装置及び前記携帯端末の少なくとも一方に送信することを特徴とする。
この発明によれば、適用情報の処理結果を携帯端末のユーザに認識させることができる。また、適用情報の処理結果を情報配信装置に記憶させるので、例えば複数の施設それぞれにおける適用情報の使用状況等の分析を行い、分析結果に基づいて新たな適用情報を作成することができる。
【００１２】
また、前記識別情報は、前記施設ごとに前記携帯端末又は前記携帯端末のユーザに対して割り当てられた施設特化識別情報であることを特徴とする。
この発明によれば、識別情報を施設特化識別情報とすることで、施設におけるユーザの名寄せを防止することができる。
【００１３】
本発明の第２の態様に係る情報配信システムは、施設において使用される複数の適用情報を配信する情報配信装置と、前記施設で前記適用情報の処理をする施設側端末と、前記施設側端末と無線通信が可能な携帯端末と、を備え、前記情報配信装置は、複数の前記適用情報を記憶する記憶部と、前記複数の適用情報から、前記携帯端末に送信する適用情報を抽出する抽出部と、前記抽出部が抽出した適用情報を前記携帯端末に送信する装置通信部を有し、前記携帯端末は、前記情報配信装置から受信した前記適用情報を記憶する携帯端末記憶部と、前記施設側端末に、前記適用情報を送信する携帯端末通信部と、を有し、前記施設側端末は、前記携帯端末から受信した前記適用情報が所定の条件を満たしていると判定した場合に前記適用情報の少なくともいずれかを処理する適用情報処理部を有することを特徴とする。
【００１４】
この発明によれば、第１の態様に係る情報配信システムと同様に、携帯端末のユーザは、施設において適用情報を使用する際に、当該施設に対応する適用情報を検索する必要がない。また、携帯端末は、施設側端末に対して複数の適用情報を送信し、施設側端末において、当該複数の適用情報のいずれかが所定の条件を満たしている場合に、施設側端末が当該適用情報を処理する。よって、携帯端末のユーザが適用情報を選択して、当該適用情報を施設側端末に送信する必要がない。よって、携帯端末のユーザは、容易に適用情報を使用することができる。
【００１５】
また、前記携帯端末通信部は、前記携帯端末記憶部に記憶されている前記適用情報を、前記携帯端末と異なる他の携帯端末にコピーして送信するとともに、前記携帯端末の識別情報、及び前記コピーした前記適用情報を特定する情報を含む履歴情報を前記情報配信装置に送信することを特徴とする。
この発明によれば、携帯端末が、他のユーザの携帯端末に対して適用情報をコピーするので、他のユーザも施設側端末において適用情報に基づいた処理を受けることができる。また、コピーに係る履歴情報を情報配信装置に送信するので、情報配信装置において、複数の携帯端末間のコピー状況を分析し、例えば、人気のある適用情報を特定することができる。
【００１６】
また、前記携帯端末は、記憶部に、前記施設側端末へ送信する前記適用情報を制御するアプリケーションプログラムを記憶し、前記アプリケーションプログラムが起動されると、前記情報配信装置に前記適用情報の取得を要求し、当該情報配信装置から受信した前記適用情報を前記携帯端末記憶部に記憶させる無線部をさらに有することを特徴とする。
この発明によれば、アプリケーションプログラムが起動したことを契機として、携帯端末が適用情報を取得するので、アプリケーションプログラムが起動することで、携帯端末に記憶される適用情報を最新状態に保つことができる。
【００１７】
本発明の第３の態様に係る情報配信装置は、施設において使用される適用情報を配信する情報配信装置であって、複数の適用情報を記憶する記憶部と、施設側端末と無線通信が可能な携帯端末を識別する識別情報を受信すると、前記複数の適用情報から、前記識別情報に対応する適用情報を抽出する抽出部と、前記抽出部が抽出した前記適用情報を前記施設側端末に送信する装置通信部とを備えることを特徴とする。
【００１８】
本発明の第４の態様に係る施設側端末は、携帯端末と無線通信が可能であり、かつ、情報配信装置と通信が可能な施設側端末であって、前記携帯端末から受信した前記携帯端末を識別する識別情報を前記情報配信装置に送信し、前記情報配信装置から適用情報を受信する施設側端末通信部と、前記情報配信装置から受信した前記適用情報が所定の条件を満たしていると判定した場合に前記適用情報の少なくともいずれかを処理する適用情報処理部とを備えることを特徴とする。
これらの発明によれば、情報配信装置が、携帯端末の識別情報に対応する適用情報を抽出して施設側端末に送信するので、携帯端末において適用情報を記憶することを不要とすることができる。これにより、携帯端末のユーザによる適用情報の取得作業を省略することができる。
【００１９】
本発明の第５の態様に係る情報配信方法は、携帯端末が、当該携帯端末を識別する識別情報を施設側端末に送信する手順と、前記施設側端末が、前記携帯端末から受信した前記識別情報を情報配信装置に送信する手順と、前記情報配信装置が、前記携帯端末の前記識別情報を受信すると、複数の適用情報を記憶する記憶部から、前記識別情報に対応する適用情報を抽出する手順と、情報配信装置が、抽出された前記適用情報を前記施設側端末に送信する手順と、前記施設側端末が、前記情報配信装置から前記適用情報を受信する手順と、前記施設側端末が、前記情報配信装置から受信した前記適用情報が所定の条件を満たしていると判定した場合に前記適用情報の少なくともいずれかを処理する手順と、を有することを特徴とする。
この発明によれば、第１の態様に係る情報配信システムと同様の効果を奏することができる。
【発明の効果】
【００２０】
本発明によれば、ユーザが容易に適用情報を使用することができる。
【図面の簡単な説明】
【００２１】
【図１】第１の実施形態に係る情報配信システムの概要図である。
【図２】第１の実施形態に係る携帯端末の機能構成図である。
【図３】第１の実施形態に係る施設側端末の機能構成図である。
【図４】第１の実施形態に係る情報配信装置の機能構成図である。
【図５】第１の実施形態に係る情報配信システムにおける、適用情報の処理に係る通信シーケンスの一例を示す図である。
【図６】第３の実施形態に係る情報配信システムの概要図である。
【図７】第３の実施形態に係る携帯端末の機能構成図である。
【図８】第３の実施形態に係る施設側端末の機能構成図である。
【図９】第３の実施形態に係る情報配信装置の機能構成図である。
【図１０】第３の実施形態に係る情報配信システムにおける、適用情報の処理に係る通信シーケンスの一例を示す図である。
【発明を実施するための形態】
【００２２】
以下、本発明の実施形態について説明する。
＜第１の実施形態＞
［情報配信システムＳの概要］
図１は、第１の実施形態に係る情報配信システムＳの概要図である。
情報配信システムＳは、携帯端末１と、施設側端末２と、情報配信装置３とを備えている。第１の実施形態に係る情報配信システムＳは、施設において使用可能なクーポン情報やポイント情報等の適用情報を、携帯端末１が予め記憶することなく使用可能にするためのシステムである。ここで施設は、商品を販売する場所を示すが、これに限らず、美術館や博物館といった、商品を販売しない場所も含むものとする。
【００２３】
情報配信システムＳにおいて、施設側端末２は、施設等に設置されている端末であり、例えば、所定距離（例えば、数十センチの距離）において携帯端末１と無線通信を行う近距離無線通信（Near Field Communication）が可能である。
携帯端末１は、施設等を訪問する客が所有している端末であり、施設側端末２と同様に近距離無線通信が可能である。携帯端末１は、施設側端末２と所定距離以内に接近すると、近距離無線通信により、携帯端末１のユーザを識別するユーザＩＤを施設側端末２に送信する。
【００２４】
施設側端末２は、携帯端末１からユーザＩＤを受信すると、当該ユーザＩＤを情報配信装置３に送信する。
情報配信装置３は、複数の適用情報を予め記憶しており、施設側端末２からユーザＩＤを受信すると、当該ユーザＩＤに対応する適用情報を抽出して、施設側端末２に送信する。
【００２５】
ここで、適用情報とは、例えば、クーポンを識別するクーポンＩＤや、所定のサービスにおける会員の種別を示す会員種別や、ポイントサービスにおける会員ＩＤである。なお、本実施形態では、適用情報として、クーポンＩＤ等の識別情報を挙げたが、これに限らない。例えば、適用情報は、クーポン情報そのものであってもよい。
【００２６】
施設側端末２は、情報配信装置３から受信した適用情報が所定の条件を満たしている場合に適用情報を処理し、処理結果を示す適用処理情報を携帯端末１及び情報配信装置３、少なくとも一方に送信する。ここで、適用処理情報は、クーポンＩＤに対応するクーポンが使用されたことを示す情報や、所定のサービスにおける会員種別に応じて与えられる特典情報や、ポイントサービスにおけるポイントが加算された旨を示す情報である。
【００２７】
［携帯端末１の構成例］
続いて、携帯端末１が備える機能について説明する。図２は、第１の実施形態に係る携帯端末１の機能構成図である。
携帯端末１は、例えば、携帯電話機であり、入力部１１と、表示部１２と、携帯端末記憶部１３と、無線部１４と、携帯端末通信部１５と、制御部１６とを備える。
【００２８】
入力部１１は、例えば、ボタンや、表示部１２に重ねて配置されるタッチパネルや接触センサ等により構成される。入力部１１は、携帯端末１のユーザから操作入力を受け付ける。
表示部１２は、例えば、液晶ディスプレイや有機ＥＬ（Electro-Luminescence）ディスプレイ等により構成される。表示部１２は、制御部１６の制御に応じて、施設側端末２から送信された、適用情報の処理結果を示す適用処理情報等を表示する。
【００２９】
携帯端末記憶部１３は、例えば、ＲＯＭ及びＲＡＭ等により構成される。携帯端末記憶部１３は、携帯端末１を機能させるための各種プログラムを記憶する。携帯端末記憶部１３は、外部メモリ等の記憶媒体に記憶されたプログラムを読み取って記憶してもよく、ネットワークＮを介して外部装置からダウンロードされたプログラムを記憶してもよい。また、携帯端末記憶部１３は、携帯端末１のユーザのユーザＩＤを記憶する。
【００３０】
無線部１４は、制御部１６から出力された信号を変調してＲＦ（Radio Frequency）信号を生成し、アンテナ（不図示）を介して当該ＲＦ信号を、携帯端末１の基地局に無線送信する。また、無線部１４は、アンテナを介して受信したＲＦ信号を復調して、復調された信号を制御部１６に出力する。
【００３１】
携帯端末通信部１５は、近距離無線通信を用いて、施設側端末２と無線通信を行う。携帯端末通信部１５は、制御部１６の制御に応じて、携帯端末１を識別するユーザＩＤを施設側端末２に送信する。
ここで、施設側端末２に送信するユーザＩＤは、携帯端末１ごとに重複なく付与されるものであってもよいし、ユーザの名寄せを防止するため施設ごとに、携帯端末１又は携帯端末１のユーザに対して割り当てられた施設特化ユーザＩＤを用いてもよい。具体的には、施設特化ユーザＩＤは、施設側端末２の端末ＩＤと、携帯端末１ごと（又はユーザごと）に重複なく付与されるユーザＩＤと、携帯端末１と施設側端末２とだけが知り得る共通鍵と、から演算したものである。なお、施設特化ユーザＩＤの演算は、例えばＡＥＳ（Advanced Encryption Standard）方式を用いてもよい。
制御部１６は、例えば、ＣＰＵにより構成される。制御部１６は、携帯端末記憶部１３に記憶されている各種プログラムを実行することにより、携帯端末１に係る機能を統括的に制御する。
【００３２】
［施設側端末２の構成例］
続いて、施設側端末２が備える機能について説明する。図３は、第１の実施形態に係る施設側端末２の機能構成図である。
施設側端末２は、例えば、レジに設置されているＰＯＳ（Point of Sales）端末であり、近距離無線通信部２１と、施設側端末通信部２２と、施設側端末記憶部２３と、制御部２４と、を備える。
【００３３】
近距離無線通信部２１は、携帯端末１と近距離無線通信を行い、例えば、ユーザＩＤを携帯端末１から受信するとともに、適用処理情報を携帯端末１に送信する。ここで、近距離無線通信部２１は、外部装置によって実装されていてもよい。例えば、施設側端末２は、近距離無線通信部２１に係る機能を有する専用装置と接続し、当該専用装置が携帯端末１から近距離無線通信により受信した情報を当該専用装置から取得するとともに、当該専用装置を介して携帯端末１に情報を送信してもよい。
【００３４】
施設側端末通信部２２は、制御部２４の制御に応じて、ネットワークＮを介して、情報配信装置３と通信を行う。施設側端末通信部２２は、例えば、ユーザＩＤを情報配信装置３に送信する。また、施設側端末通信部２２は、適用情報を情報配信装置３から受信し、その後、適用処理情報を情報配信装置３に送信する。
【００３５】
施設側端末記憶部２３は、例えば、ＲＯＭ及びＲＡＭ等により構成される。施設側端末記憶部２３は、施設側端末２を機能させるための各種プログラムを記憶する。施設側端末記憶部２３は、外部メモリ等の記憶媒体に記憶されたプログラムを読み取って記憶してもよく、ネットワークＮを介して外部装置からダウンロードされたプログラムを記憶してもよい。
【００３６】
制御部２４は、例えば、ＣＰＵにより構成される。制御部２４は、施設側端末記憶部２３に記憶されている各種プログラムを実行することにより、施設側端末２に係る機能を統括的に制御する。制御部２４は、適用情報処理部２４１を備える。適用情報処理部２４１の処理の詳細については、後述する。
【００３７】
［情報配信装置３の構成例］
続いて、情報配信装置３が備える機能について説明する。図４は、第１の実施形態に係る情報配信装置３の機能構成図である。
情報配信装置３は、例えばサーバであり、装置通信部３１と、装置記憶部３２と、制御部３３とを備える。
【００３８】
装置通信部３１は、例えば、ネットワークＮを介して施設側端末２と通信を行う。装置通信部３１は、例えば、施設側端末２からユーザＩＤを受信する。また、装置通信部３１は、施設側端末２に適用情報を送信し、その後、施設側端末２から適用処理情報を受信する。
【００３９】
装置記憶部３２は、例えば、ハードディスク、ＲＯＭ及びＲＡＭ等により構成される。装置記憶部３２は、情報配信装置３を機能させるための各種プログラムを記憶する。装置記憶部３２は、外部メモリ等の記憶媒体に記憶されたプログラムを読み取って記憶してもよく、ネットワークＮを介して外部装置からダウンロードされたプログラムを記憶してもよい。装置記憶部３２は、ユーザ情報記憶部３２１と、適用情報記憶部３２２と、処理情報記憶部３２３とを備える。ユーザ情報記憶部３２１、適用情報記憶部３２２及び処理情報記憶部３２３の詳細については、後述する。
【００４０】
制御部３３は、例えば、ＣＰＵにより構成される。制御部３３は、装置記憶部３２に記憶されている各種プログラムを実行することにより、情報配信装置３に係る機能を統括的に制御する。制御部３３は、抽出部３３１を備える。抽出部３３１の詳細については、後述する。
【００４１】
［情報配信システムＳの通信シーケンス］
続いて、携帯端末１、施設側端末２及び情報配信装置３がそれぞれ備える機能の詳細について図５を用いながら説明する。
図５は、第１の実施形態に係る情報配信システムＳにおける、適用情報の処理に係る通信シーケンスの一例を示す図である。
【００４２】
まず、携帯端末通信部１５は、携帯端末１が施設側端末２と所定距離以内に近づいたことに応じてユーザＩＤを施設側端末２に送信する。
具体的には、携帯端末１のユーザが、施設側端末２が設置されている施設を訪問し、当該施設側端末２に対して携帯端末１を接触させる。すると、施設側端末２の近距離無線通信部２１は、携帯端末１との接近状態を検出する（Ｓ１）。続いて、施設側端末２の制御部２４は、近距離無線通信部２１を介して、携帯端末１に、ユーザＩＤの送信要求を示す送信要求情報を送信する。
【００４３】
携帯端末１の携帯端末通信部１５が施設側端末２から送信要求情報を受信すると、制御部１６は、携帯端末記憶部１３に記憶されているユーザＩＤを取得する（Ｓ２）。制御部１６は、携帯端末通信部１５を介して、取得したユーザＩＤを施設側端末２に送信する。
続いて、施設側端末２の近距離無線通信部２１がユーザＩＤを受信すると、施設側端末２の制御部２４は、当該ユーザＩＤを、施設側端末通信部２２を介して情報配信装置３に送信する。
【００４４】
続いて、抽出部３３１は、情報配信装置３の装置通信部３１が、施設側端末２からユーザＩＤを受信すると、ユーザ情報記憶部３２１及び適用情報記憶部３２２を参照し、当該ユーザＩＤに対応する適用情報を抽出する（Ｓ３）。
なお、抽出部３３１は、近距離無線通信部２１が受信したユーザＩＤが、施設特化ユーザＩＤである場合には、共通鍵を用いて演算することによりユーザＩＤを算出し、算出したユーザＩＤに対応する適用情報を抽出する（Ｓ３）。
【００４５】
具体的には、ユーザ情報記憶部３２１には、ユーザＩＤと、ユーザの属性を示す属性情報とを関連付けたユーザ情報が記憶されており、抽出部３３１は、施設側端末２からユーザＩＤを受信すると、当該ユーザＩＤがユーザ情報記憶部３２１に記憶されているか否かを判定し、ユーザの認証を行う。その後、抽出部３３１は、ユーザＩＤがユーザ情報記憶部３２１に記憶されている場合、ユーザ情報記憶部３２１を参照して、施設側端末２から受信したユーザＩＤに関連付けられている属性情報を抽出する。また、適用情報記憶部３２２には、複数の適用情報が、属性情報と関連付けられて記憶されており、抽出部３３１は、抽出した属性情報に関連付けられている適用情報を１以上抽出する。このようにすることで、抽出部３３１は、受信したユーザＩＤに対応する適用情報を抽出する。
【００４６】
なお、抽出部３３１は、ユーザＩＤをユーザの認証のみに用いて、適用情報記憶部３２２に記憶されている全ての情報を抽出するようにしてもよい。
また、情報配信装置３は、適用情報記憶部３２２に記憶されている複数の適用情報を、施設を識別する施設ＩＤと関連付けて記憶してもよい。そして、施設側端末２の制御部２４が、施設側端末通信部２２を介して、携帯端末１から受信したユーザＩＤ及びユーザの属性情報の他に、施設を識別する施設ＩＤを情報配信装置３に送信してもよい。この場合において、抽出部３３１は、施設ＩＤにさらに基づいて適用情報の絞り込みを行い、施設ＩＤに対応する施設で使用可能な適用情報を抽出してもよい。
【００４７】
続いて、抽出部３３１は、装置通信部３１に、抽出した適用情報を施設側端末２に送信させる。
施設側端末２の施設側端末通信部２２は、情報配信装置３から適用情報を受信する。適用情報処理部２４１は、情報配信装置３から受信した適用情報が所定の条件を満たしている場合に、当該適用情報の少なくともいずれかを処理する。
【００４８】
具体的には、適用情報処理部２４１は、情報配信装置３から受信した適用情報が所定の条件を満たしているか否かを判定する（Ｓ４）。ここで、施設側端末記憶部２３には、施設側端末２が設置されている施設において使用される適用情報が予め記憶されている。適用情報処理部２４１は、判定がＹｅｓの場合、すなわち、施設側端末記憶部２３に記憶されている適用情報と一致する適用情報を受信している場合、適用情報を処理する（Ｓ５）。例えば、適用情報がクーポン情報である場合、適用情報処理部２４１は、携帯端末１のユーザが購入した商品の価格から、クーポン情報に基づいて割引を行う処理を行う。
【００４９】
ここで、適用情報処理部２４１は、情報配信装置３から受信した適用情報が複数である場合に、施設側端末２の備える表示部に複数の適用情報のいずれかを選択するための画面を表示させ、携帯端末１のユーザから選択を受け付けてもよい。そして、適用情報処理部２４１は、携帯端末１のユーザにより一の適用情報が選択されたことに応じて、適用情報を処理してもよい。また、適用情報処理部２４１は、情報配信装置３から受信した適用情報が複数である場合に、これらの複数の適用情報を処理してもよい。
【００５０】
適用情報処理部２４１は、判定がＮｏの場合、すなわち、施設側端末記憶部２３に記憶されている適用情報と一致する適用情報を受信しない場合、一致する適用情報が受信できなかった旨を示すエラーメッセージを、近距離無線通信部２１を介して携帯端末１に送信する。なお、一致する適用情報が受信できなかった旨を示すエラーメッセージは、施設側端末２の備える表示部に表示するようにしてもよい。
【００５１】
続いて、適用情報処理部２４１は、適用情報の処理結果を示す適用処理情報を、情報配信装置３及び携帯端末１に送信する。具体的には、適用情報処理部２４１は、近距離無線通信部２１を介して、施設側端末２に接触した携帯端末１に適用処理情報を送信する。また、適用情報処理部２４１は、施設側端末通信部２２を介して情報配信装置３に適用処理情報及びユーザＩＤを送信する。
【００５２】
携帯端末１の制御部１６は、携帯端末通信部１５が施設側端末２から適用処理情報を受信すると、当該適用処理情報を表示部１２に表示させる（Ｓ６）。例えば、適用情報がクーポン情報である場合、制御部１６は、クーポン情報に基づいて割引が行われた旨を示す適用処理情報を表示部１２に表示させる。また、制御部１６は、例えば、適用情報がポイント情報である場合、現在のポイントや追加されたポイントを示す適用処理情報を表示部１２に表示させる。これにより、携帯端末１のユーザに、適用情報の使用による効果を把握させてお買い得感を持たせ、当該施設を再び訪問する可能性を高めることができる。なお、適用情報がポイント情報である場合の現在のポイントや追加されたポイントを示す適用処理情報は、施設側端末２の備える表示部に表示されるようにしてもよい。
【００５３】
情報配信装置３は、装置通信部３１が施設側端末２から適用処理情報及びユーザＩＤを受信すると、当該適用処理情報と当該ユーザＩＤとを関連付けて処理情報記憶部３２３に記憶させる（Ｓ７）。その後、情報配信装置３では、適用処理情報の集計及び分析が行われる。集計結果及び分析結果は、今後施設において使用される適用情報の生成の際に参考情報として使用される。
【００５４】
［第１の実施形態における効果］
以上のとおり、第１の実施形態に係る情報配信システムＳでは、情報配信装置３は、複数の適用情報を記憶する適用情報記憶部３２２と、携帯端末１のユーザのユーザＩＤを受信すると、複数の適用情報から、ユーザＩＤに対応する適用情報を抽出する抽出部３３１と、抽出部３３１が抽出した適用情報を施設側端末２に送信する装置通信部３１とを有し、施設側端末２は、携帯端末１から受信したユーザＩＤを情報配信装置３に送信し、情報配信装置３から適用情報を受信する施設側端末通信部２２と、情報配信装置３から受信した適用情報が所定の条件を満たしている場合に適用情報を処理する適用情報処理部２４１とを有する。
【００５５】
この発明によれば、携帯端末１から送信された当該携帯端末１のユーザＩＤに基づいて、情報配信装置３が適用情報を抽出し、施設側端末２が、当該適用情報が所定の条件を満たしている場合に当該適用情報を処理する。これにより、携帯端末１では、適用情報を予め記憶する必要がない。また、携帯端末１のユーザは、施設において、当該施設に対応する適用情報を検索する必要がない。よって、携帯端末１のユーザは、容易に適用情報を使用することができる。
【００５６】
＜第２の実施形態＞
［携帯端末１が送信する属性情報に基づいて適用情報を抽出する］
続いて、第２の実施形態について説明する。第２の実施形態は、情報配信装置３の抽出部３３１が、携帯端末１が送信する属性情報に基づいて適用情報を抽出する点で第１の実施形態と異なり、その他の点では同じである。ここで、携帯端末１の属性情報は、例えば、携帯端末１の移動履歴、携帯端末１の現在の位置情報、及び携帯端末１のユーザが過去に購入した商品の履歴を示す購買履歴等である。
【００５７】
第２の実施形態において、携帯端末１の制御部１６は、携帯端末通信部１５を介して、ユーザＩＤ及び携帯端末１の属性情報を施設側端末２に送信する。
施設側端末２の制御部２４は、施設側端末通信部２２を介して、携帯端末１から受信したユーザＩＤ及びユーザの属性情報を情報配信装置３に送信する。
【００５８】
抽出部３３１は、施設側端末２から受信したユーザＩＤ及び属性情報に基づいて適用情報を抽出する。具体的には、適用情報記憶部３２２には、複数の適用情報が、ユーザの属性情報及び携帯端末１の属性情報と関連付けられて記憶されている。まず、抽出部３３１は、ユーザ情報記憶部３２１を参照して、施設側端末２から受信したユーザＩＤに関連付けられている属性情報を抽出する。その後、抽出部３３１は、適用情報記憶部３２２を参照し、抽出したユーザの属性情報及び、携帯端末１の属性情報に基づいて適用情報を抽出する。
【００５９】
例えば、携帯端末１の属性情報が、携帯端末１の位置を示す位置情報と、時刻とを含む移動履歴である場合、抽出部３３１は、当該位置情報と関連付けられている適用情報を抽出する。移動履歴に含まれる位置情報は、例えば、携帯端末１が施設側端末２に接触した際に施設側端末２から受信した施設側端末２の位置を示す情報又は施設側端末２を識別するための情報である。抽出部３３１は、移動履歴が示す位置情報から携帯端末１のユーザが立ち寄った施設を特定し、予め記憶されている施設で扱っている商品の属性に基づいて、携帯端末１のユーザが関心を持っている商品を示すユーザの属性を特定してもよい。そして、抽出部３３１は、特定したユーザの属性に関連付けられている適用情報を抽出してもよい。
【００６０】
抽出部３３１は、携帯端末１から属性情報を受信したタイミングより前の所定の期間内の移動履歴に基づいて、ユーザの属性を特定してもよい。例えば、抽出部３３１は、携帯端末１から属性情報を受信したタイミングより前の、当日の移動履歴に基づいて、ユーザの属性を特定してもよい。このようにすることで、抽出部３３１は、ユーザが施設を訪れている日にユーザが関心を持っている商品を絞り込んで、ユーザに適した適用情報を抽出することができる。
【００６１】
また、携帯端末１の属性情報が、携帯端末１の現在の位置情報である場合、抽出部３３１は、携帯端末１の現在の位置情報から所定範囲以内の位置に対応する位置情報と関連付けられている適用情報を抽出してもよい。例えば、携帯端末１の現在の位置情報が、複数の施設が収容されているショッピングモールのいずれかの位置を示している場合、抽出部３３１は、ショッピングモールに収容されている施設で使用可能な適用情報を抽出する。
【００６２】
また、携帯端末１の属性情報が、ユーザが過去に購入した商品の履歴を示す購買履歴である場合、抽出部３３１は、過去の所定時間内に購入した商品とは異なる商品に対応する適用情報を抽出してもよい。このようにすることで、抽出部３３１は、ユーザが購入する可能性が比較的高い商品に対応する適用情報を抽出できるので、情報配信装置３が、使用される可能性が低い適用情報を送信することを抑制できる。
【００６３】
［第２の実施形態における効果］
以上のとおり、第２の実施形態に係る携帯端末通信部１５は、携帯端末１の属性を示す属性情報を施設側端末２にさらに送信し、施設側端末通信部２２は、携帯端末１から受信した属性情報を情報配信装置３にさらに送信し、抽出部３３１は、属性情報に対応する適用情報を抽出することを特徴とする。
【００６４】
この発明によれば、抽出部３３１は、識別情報と、携帯端末１の属性を示す属性情報とに基づいて適用情報を抽出するので、識別情報によって適用情報を抽出する場合に比べて抽出される適用情報を絞り込むことができる。これにより、施設側端末２に送信する適用情報の数を減らし、処理速度を向上させることができる。
【００６５】
＜第３の実施形態＞
［情報配信装置３が、携帯端末１に適用情報を送信する］
続いて、第３の実施形態について説明する。第３の実施形態は、情報配信装置３が携帯端末１に適用情報を送信し、携帯端末１が適用情報を記憶し、施設側端末２が、携帯端末１から受信した適用情報に基づいて適用情報を処理する点で第１の実施形態と異なり、その他の点では同じである。なお、第３の実施形態において、携帯端末１において記憶される適用情報は、例えばクーポン情報のクーポンＩＤのような識別情報であるものとするが、識別情報に限らず、クーポン情報であってもよいものとする。
【００６６】
図６は、第３の実施形態に係る情報配信システムＳの概要図である。
情報配信システムＳは、携帯端末１と、施設側端末２と、情報配信装置３と、基地局４とを備えている。第３の実施形態では、携帯端末１は、基地局４を介して情報配信装置３と通信可能であり、情報配信装置３から、適用情報を受信して記憶する。
【００６７】
図７は、第３の実施形態に係る携帯端末１の機能構成図である。
図７に示すように、第３の実施形態の携帯端末１は、入力部１１、表示部１２、携帯端末記憶部１３、無線部１４、携帯端末通信部１５及び制御部１６を備える。
【００６８】
携帯端末記憶部１３は、制御部１６により実行されると、施設側端末２に送信する適用情報を制御するアプリケーションプログラムを記憶する。また、携帯端末記憶部１３は、情報配信装置３から受信した適用情報を記憶する。
無線部１４は、携帯端末記憶部１３に記憶されている適用情報を送信させるアプリケーションプログラムが起動されたことに応じて、基地局４を介して情報配信装置３と無線通信を行い、情報配信装置３から複数の適用情報を受信する。
【００６９】
携帯端末通信部１５は、施設側端末２と近距離無線通信を行い、携帯端末記憶部１３に記憶されている適用情報を施設側端末２に送信する。具体的には、携帯端末１が施設側端末２に接触すると、携帯端末通信部１５は、携帯端末記憶部１３に記憶されている適用情報を施設側端末２に送信する。
【００７０】
図８は、第３の実施形態に係る施設側端末２の機能構成図である。
施設側端末２は、近距離無線通信部２１と、施設側端末通信部２２と、施設側端末記憶部２３と、制御部２４とを備える。
【００７１】
近距離無線通信部２１は、携帯端末１と近距離無線通信を行うことにより、携帯端末１から適用情報を受信する。
制御部２４の適用情報処理部２４１は、携帯端末１から受信した適用情報が所定の条件を満たしている場合に、受信した適用情報を処理する。適用情報処理部２４１は、適用情報の処理結果を示す適用処理情報を、携帯端末１及び情報配信装置３に送信する。
【００７２】
図９は、第３の実施形態に係る情報配信装置３の機能構成図である。
情報配信装置３は、装置通信部３１と、装置記憶部３２と、制御部３３とを備える。
【００７３】
装置記憶部３２は、複数の適用情報を記憶する適用情報記憶部３２２と、施設側端末２において適用情報を処理した結果を示す適用処理情報を記憶する処理情報記憶部３２３とを備える。
装置通信部３１は、例えば、基地局４を介して携帯端末１と通信を行い、適用情報記憶部３２２に記憶されている複数の適用情報を携帯端末１に送信する。
【００７４】
［情報配信システムＳの通信シーケンス］
続いて、携帯端末１、施設側端末２及び情報配信装置３がそれぞれ備える機能の詳細について図１０を用いながら説明する。
図１０は、第１の実施形態に係る情報配信システムＳにおける、適用情報の処理に係る通信シーケンスの一例を示す図である。
【００７５】
情報配信装置３は、適用情報記憶部３２２に記憶されている適用情報を抽出し（Ｓ１１）、携帯端末１に送信する。具体的には、まず、無線部１４は、入力部１１の操作によって、適用情報を送信するためのアプリケーションプログラムが起動されると、情報配信装置３に適用情報の取得を要求する要求情報を送信する。
【００７６】
続いて、情報配信装置３の抽出部３３１は、装置通信部３１が携帯端末１から適用情報の取得を要求する要求情報を受信すると、適用情報記憶部３２２に記憶されている複数の適用情報から、携帯端末１に適した適用情報を抽出し、装置通信部３１を介して、抽出した適用情報を携帯端末１に送信する。
【００７７】
抽出部３３１は、第１の実施形態の抽出部３３１と同様の構成としてもよい。そして、情報配信装置３は、第１実施形態と同様に携帯端末１からユーザＩＤを受信し、当該ユーザＩＤに関連する属性情報に基づいて、携帯端末１に送信する適用情報の絞り込みを行ってもよい。また、情報配信装置３は、第２実施形態と同様に携帯端末１からユーザＩＤ及びユーザの属性情報を受信し、これらユーザＩＤ及びユーザの属性情報に基づいて、携帯端末１に送信する適用情報の絞り込みを行ってもよい。例えば、情報配信装置３が、ユーザの属性情報として過去の移動履歴を受信した場合、抽出部３３１は、当該移動履歴に対応する位置情報に関連付けられている適用情報を抽出してもよい。
【００７８】
また、情報配信装置３は、他のタイミングにおいて適用情報を携帯端末１に送信してもよい。例えば、情報配信装置３は、定期的又は設定時刻に、適用情報を携帯端末１にプッシュ送信してもよい。また、情報配信装置３から、適用情報を一括して送信するためのお知らせメールを携帯端末１に送信し、携帯端末１のユーザの操作に応じて、適用情報を一括して送信してもよい。また、スケジュールやＴｏＤｏリスト、さらには、イベントの案内情報等に対して適用情報を一括して送信するためのリンクを付して、携帯端末１に通知するようにしてもよい。
【００７９】
続いて、無線部１４が、情報配信装置３から送信された適用情報を取得すると、制御部１６は、当該適用情報を携帯端末記憶部１３に記憶させる（Ｓ１２）。
【００８０】
携帯端末１のユーザが、施設側端末２が設置されている施設に訪問し、当該施設側端末２に対して携帯端末１を接触させると、施設側端末２の近距離無線通信部２１は、携帯端末１との接近状態を検出する（Ｓ１３）。
施設側端末２の制御部２４は、近距離無線通信部２１が携帯端末１との接近状態を検出すると、近距離無線通信部２１を介して、ユーザＩＤ及び適用情報の送信要求を示す送信要求情報を携帯端末１に送信する。
【００８１】
携帯端末１の携帯端末通信部１５が施設側端末２から送信要求情報を受信すると、制御部１６は、携帯端末記憶部１３に記憶されているユーザＩＤ及び適用情報を取得する（Ｓ１４）。制御部１６は、携帯端末通信部１５を介して、取得したユーザＩＤ及び適用情報を施設側端末２に送信する。
【００８２】
続いて、施設側端末２の近距離無線通信部２１がユーザＩＤ及び適用情報を受信すると、施設側端末２の適用情報処理部２４１は、情報配信装置３から受信した適用情報のうち、所定の条件を満たしている適用情報を処理する。具体的には、施設側端末２の適用情報処理部２４１は、情報配信装置３から受信した適用情報のうち、所定の条件を満たしている適用情報が含まれているか否かを判定する（Ｓ１５）。
【００８３】
適用情報処理部２４１は、判定がＹｅｓの場合、すなわち、施設側端末記憶部２３に記憶されている適用情報と一致する適用情報を受信している場合、適用情報を処理する（Ｓ１６）。適用情報処理部２４１は、判定がＮｏの場合、すなわち、施設側端末記憶部２３に記憶されている適用情報と一致する適用情報を受信しない場合、近距離無線通信部２１を介してエラーメッセージを携帯端末１に送信する。
【００８４】
続いて、適用情報処理部２４１は、適用情報の処理結果を示す適用処理情報を、情報配信装置３及び携帯端末１に送信する。具体的には、適用情報処理部２４１は、近距離無線通信部２１を介して携帯端末１に適用処理情報を送信する。また、適用情報処理部２４１は、施設側端末通信部２２を介して情報配信装置３に適用処理情報及びユーザＩＤを送信する。
【００８５】
携帯端末１の制御部１６は、携帯端末通信部１５が施設側端末２から適用処理情報を受信すると、当該適用処理情報を表示部１２に表示させる（Ｓ１７）。
情報配信装置３は、装置通信部３１が施設側端末２から適用処理情報及びユーザＩＤを受信すると、当該適用処理情報と当該ユーザＩＤとを関連付けて処理情報記憶部３２３に記憶させる（Ｓ１８）。なお、情報配信装置３は、携帯端末１から適用処理情報及びユーザＩＤを受信するようにしてもよい。携帯端末１から直接受信する場合には、携帯端末１から適用処理情報のみを受信するようにしてもよい。
【００８６】
なお、制御部１６は、携帯端末１に記憶された複数の適用情報の一部を定期的に削除してもよい。具体的には、携帯端末１は、複数の適用情報のそれぞれを、情報配信装置３から受信した日時と関連付けて記憶しておき、当該日時に基づいて、所定時間以上使用されなかった適用情報を削除してもよい。また、携帯端末１は、複数の適用情報のそれぞれを、情報配信装置３から受信した際の携帯端末１の位置情報と関連付けて記憶しておき、現在の位置情報とは異なる位置情報に関連付けられている適用情報を削除してもよい。
【００８７】
［第３の実施形態における効果］
以上のとおり、第３の実施形態に係る情報配信システムＳでは、情報配信装置３は、適用情報を携帯端末１に送信する装置通信部３１を有し、携帯端末１は、情報配信装置３から受信した適用情報を記憶する携帯端末記憶部１３と、施設側端末２に、適用情報を送信する携帯端末通信部１５と、を有し、施設側端末２は、携帯端末１から受信した適用情報のうち、所定の条件を満たしている適用情報を処理する適用情報処理部２４１を有することを特徴とする。
【００８８】
この発明によれば、第１の実施形態と同様に、携帯端末１のユーザは、施設において、当該施設に対応する適用情報を検索する必要がない。また、携帯端末１は、施設側端末２に対して適用情報を送信し、施設側端末において、当該適用情報のいずれかが所定の条件を満たしている場合に、施設側端末２が当該適用情報を処理する。よって、携帯端末１のユーザが適用情報を選択して、当該適用情報を施設側端末２に送信する必要がない。よって、携帯端末１のユーザは、容易に適用情報を使用することができる。
【００８９】
＜第４の実施形態＞
［携帯端末１が適用情報をコピーして他の携帯端末に送信する］
続いて、第４の実施形態について説明する。第４の実施形態は、携帯端末１が携帯端末記憶部１３に記憶している適用情報を、近距離無線通信を用いてコピーして他の携帯端末に送信する点で第３の実施形態と異なり、その他の点では同じである。
【００９０】
第４の実施形態において、携帯端末通信部１５は、携帯端末記憶部１３に記憶されている適用情報を、携帯端末１と異なる他の携帯端末に近距離無線通信でコピーして送信する。その後、無線部１４は、携帯端末のユーザのユーザＩＤと、コピーした適用情報を特定する情報を含む履歴情報を、基地局４を介して情報配信装置３に送信する。
【００９１】
情報配信装置３の制御部３３は、装置通信部３１が履歴情報を受信すると、処理情報記憶部３２３に当該履歴情報を記憶させる。その後、情報配信装置３の制御部３３は、履歴情報に基づいて、譲渡頻度の高いユーザの属性を分析し、他の携帯端末に再配布されやすい適用情報を特定する。例えば、制御部３３は、ユーザ情報記憶部３２１を参照して譲渡頻度の高いユーザの属性を特定する。そして、制御部３３は、特定した属性ごとに、コピーされた適用情報を集計し、譲渡頻度の高い適用情報を特定する。
【００９２】
その後、情報配信装置３の抽出部３３１は、装置通信部３１が携帯端末１から複数の適用情報の取得を要求する要求情報とともにユーザＩＤを受信すると、ユーザ情報記憶部３２１を参照し、当該ユーザＩＤに対応するユーザの属性を特定する。そして、抽出部３３１は、特定した属性に対して譲渡頻度の高い適用情報を特定し、当該適用情報を優先的に携帯端末１に配信する。
【００９３】
［第４の実施形態における効果］
以上、第４の実施形態によれば、携帯端末１が、他のユーザの携帯端末に対して、適用情報をコピーするので、他のユーザも施設側端末において適用情報に基づいた処理を受けることができる。また、携帯端末１が、コピーに係る履歴情報を情報配信装置３に送信するので、情報配信装置３において、複数の携帯端末間のコピー状況を把握し、例えば、人気のある適用情報を特定することができる。
【００９４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、第１の実施形態において、適用情報処理部２４１は、ユーザＩＤを受信した回数に基づいて、携帯端末１のユーザの施設への訪問回数を計数するようにしてもよい。そして、適用情報処理部２４１は、次回訪問時に付与されるクーポン情報を通知する通知情報を、携帯端末１に送信してもよい。そして、携帯端末１の制御部１６が、表示部１２に当該通知情報を表示させてもよい。また、第１の実施形態において、適用情報処理部２４１は、予めユーザが検索して取得した適用情報と、情報配信装置３から受信した適用情報との間で、ポイントの集計処理や特典の内容を変更してもよい。
【００９５】
また、第１の実施形態において、抽出部３３１がユーザＩＤに関連付けられている属性情報に基づいて適用情報を抽出する際に、第２の実施形態において説明した、移動履歴、位置情報及び購買履歴等の情報を属性情報として用いてもよい。情報配信装置３が、ユーザＩＤに関連付けて、これらの属性情報を記憶しておくことにより、抽出部３３１は、多様な方法でユーザに適した適用情報を抽出することができる。
【００９６】
また、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００９７】
１・・・携帯端末、１１・・・入力部、１２・・・表示部、１３・・・携帯端末記憶部、１４・・・無線部、１５・・・携帯端末通信部、１６・・・制御部、２・・・施設側端末、２１・・・近距離無線通信部、２２・・・施設側端末通信部、２３・・・施設側端末記憶部、２４・・・制御部、２４１・・・適用情報処理部、３・・・情報配信装置、３１・・・装置通信部、３２・・・装置記憶部、３２１・・・ユーザ情報記憶部、３２２・・・適用情報記憶部、３２３・・・処理情報記憶部、３３・・・制御部、３３１・・・抽出部、４・・・基地局、Ｎ・・・ネットワーク、Ｓ・・・情報配信システム
【図１】
0005898661.tif 000002
【図２】
0005898661.tif 000003
【図３】
0005898661.tif 000004
【図４】
0005898661.tif 000005
【図５】
0005898661.tif 000006
【図６】
0005898661.tif 000007
【図７】
0005898661.tif 000008
【図８】
0005898661.tif 000009
【図９】
0005898661.tif 000010
【図１０】
0005898661.tif 000011